(57)【要約】      （修正有）【課題】加工コストが安価で、かつ多様な表示形態を手で容易に行えるとともに、イメージアップ効果を高められる多機能型卓上広告表示具を提供する。【解決手段】素材は、折り、曲げ、捻りなど手で変幻自在に加工できるとともに、加工形状が戻りにくい形状保持特性を有するポリオレフィンを主原料とする合成樹脂板材により成されるものとし、その卓上広告表示具１は、適度な幅と長さにカットした帯板２の下部に、設置取り付け用の剥離紙３付き固定接着部４を設け、その対向側上部に、剥離紙３付き広告板接着部５を設けて成る多機能型卓上広告表示具１を構成する。【選択図】図１
0003153669.tif 000002
【実用新案登録請求の範囲】
【請求項１】
適度な力で曲げ加工でき、かつ容易にカットできる合成樹脂板を略矩形状にカットした帯板を形成し、該帯板の下部に固定接着部を設け、対向側上部に広告表示板接着部を設けて成る構成を特徴とする多機能型卓上広告表示具。
【請求項２】
前記する合成樹脂板の素材が、形状保持特性を有するポリオレフィンを主原料とする合成樹脂素材である請求項１に記載する多機能型卓上広告表示具。
【請求項３】
前記する帯板の中ほどに、直接表示する広告スペース部を設けて成る請求項１又は請求項２に記載する多機能型卓上広告表示具。
【請求項４】
前記する帯板の広告表示スペース部の表示手段が、所望するマーク又は図柄を切り抜いて成る請求項３に記載する多機能型卓上広告表示具。
【請求項５】
前記する帯板の中ほど部が、所望する異型の形に切り抜きカットして成る請求項１又は請求項２に記載する多機能型卓上広告表示具。
【考案の詳細な説明】
【技術分野】
【０００１】  本考案は、折り曲げや捻り、カットが容易に行えるとともに、形状保持特性を有する合成樹脂板素材により様々な加工が容易にでき、かつ安価に提供することができる卓上型の広告表示具に関する。
【背景技術】
【０００２】  従来、商品の説明やイメージアップ等の広告表示具は（ポップ又はポップアップとも称する）素材や目的等により様々な形態があり、素材としては板紙やプラスチック板、アルミや軟質金属板等があり、加工形態においては、プレスやベンダー加工や発熱器による曲げ加工の他、金型や治具など用いた様々な手段による広告表示具が提供されている。【０００３】  また、薄くても腰の強さがある板材により、下縁が弧状の脚体と、これに取り付けられる表示板で成り、前記脚体は中折線を介した中ほどに折り込み片による差し込み口を形成し、その差し込み口に、別体の差し込み片付き表示板を差し込む卓上広告具の技術がある。（例えば、特許文献１参照）
【特許文献１】特開２００４−６１８３５公報
【考案が解決しようとする課題】
【０００４】  前記するような広告表示手段があるが、従来から提供されている素材は、一般的に手では加工しにくく、時にはプレスやベンダー加工、発熱器、金型など必要とするので、材料費はもとより、加工技術においてもコスト高になることが避けられなかった。
【０００５】  次に、特開２００４−６１８３５公報に開示される技術は、適度に腰の強さがある板材で、下縁が弧状の脚体と、これに取り付けられる表示板とで成り、前記脚体は中折線を介した中ほどに折り込み片による差し込み口を形成するものを三角状に折り曲げて成る差し込み口に、別体の差し込み片付き表示板を差し込む卓上広告具である。しかし脚体の差し込み口は、斜折線を設けた折込片を内側に折り込む複雑な形であるので、この脚体をカットする型紙も複雑になり刃型もコスト高になることは避けられない。また、その脚体を一々組み立てるのも手間とコストを要するし、これに差し込み片付き表示板を組み立てた表示具としても広告具自体それほどアッピールする形態ではなかった。
【課題を解決するための手段】
【０００６】  本考案は、前記するような従来の広告表示具が持つ不便や欠点を解消するために、請求項１においては、適度な力で曲げ加工でき、かつ容易にカットできる合成樹脂板を略矩形状にカットした帯板を形成し、該帯板の下部に固定接着部を設け、対向側上部に広告表示板接着部を設けることで、シンプルにして安価にできる多機能型卓上広告表示具とする。
【０００７】  請求項２においては、前記する合成樹脂板の素材が、形状保持特性を有するポリオレフィンを主原料とする合成樹脂素材を採用することで、手のみでも加工しやすく、かつ形を安定して保持できるものとする。
【０００８】  請求項３においては、前記する帯板の上下の中ほどに、直接表示する広告スペース部を設けることで、上部に取り付ける広告板とともにアッピール表示できるものとする。
【０００９】  請求項４においては、前記する広告スペース部の表示手段が、所望するマーク又は図柄を切り抜くことで、さらに目立たせるものとする。
【００１０】  請求項５においては、前記する帯板の中ほど部を、所望する異型の形に切り抜きカットすることで、帯板自体もアッピール効果を得られるものとする。
【考案の効果】
【００１１】  本考案による卓上広告表示具の素材は、手で変幻自在に容易に加工できるとともに、かつ加工形状が戻りにくい形状保持特性を有するポリオレフィンを主原料とする特殊な合成樹脂板材を採用しているので、卓上広告表示具を折り曲げたり、捻るなどの加工がきわめて容易なため、ユーザー自身がオリジナルな形態に加工するのも容易である。また切る場合もハサミやカッターで簡単にできる上、刃型を用いると広告スペースや帯板面にマークや模様を施すことができるユニークでオリジナル性高い広告表示具となる。
【００１２】  また素材は比較的安価で安定して確保できるとともに、加工方法も、プレスやベンダー加工、発熱器、金型など用いる必要もないのできわめて安価に提供できるなど、従来には見られないユニークにして機能的な卓上広告表示具を提供できる。
【考案を実施するための最良の形態】
【００１３】  本考案による卓上広告表示具の第１実施形態を図１に示す斜視図と図２に示す使用例参考図で説明する。
まず本考案による素材は、折り、曲げ、捻りなどを手で変幻自在に加工できるとともに、加工形状が戻りにくい形状保持特性を有するポリオレフィンを主原料とする合成樹脂板により成されるものとし、まず第１形態による卓上広告表示具１は、適度な幅と長さにカットした帯板２の下部に、設置取り付け用の剥離紙３付き固定接着部４を設け、その対向側上部には、剥離紙３付き広告板接着部５を設けて成る卓上広告表示具１を構成する。【００１４】  第１実施形態による卓上広告表示具１は、帯板２の上部に剥離紙３付き広告板接着部５を設け、対向側下部には剥離紙３付き固定接着部４を設けた帯状の卓上広告表示具１を形成するが、その素材は手で変幻自在に加工できるので、図２に示すように所望な形に曲げ加工した後、下部の固定接着部４近くを適当な角度に折り曲げてから、剥離紙３を剥がして目的とする場所に貼り付けて固定して後、上部の剥離紙３を剥がした広告板接着部５に、目的とする広告板Ａを貼り付けて表示できるものとなる。尚、卓上広告表示具１を先に固定するか広告板Ａを先に取り付けるかはいずれの順番でも構わないし、また卓上広告表示具１を固定した後に形を変えることも容易である。尚、第１実施形態による帯板２は狭いが、その帯板２面に広告をプリント表示しても差し支えない。【００１５】  第２実施形態の卓上広告表示具を、図３に示す斜視図と図４に示す使用例参考図で説明する。
第２実施形態による卓上広告表示具１Ａは、帯体の中ほどに一定の大きさを成す略円形の広告スペース部６を形成する広告帯板７とし、その広告帯板７の下部に剥離紙３付き固定接着部４を設け、対向側上部に剥離紙３付き広告板接着部５を設けて成る卓上広告表示具１Ａを構成する。尚、前記広告スペース部６の表示手段は、印刷又はシール貼りいずれかによる。また広告スペース部６は円形状であるが他の形状でもよい。【００１６】  第２実施形態による卓上広告表示具１Ａは、広告帯板７の中ほどに適度な大きさの広告スペース部６を設けているので、固定接着部４寄りを曲げてから任意箇所に固定し、上部の広告板接着部５に別体の広告板Ａを表示できるとともに、前記広告スペース部６にも印刷又はシール貼りができる。【００１７】  第３実施形態の卓上広告表示具を、図５に示す斜視図と図６に示す使用例参考図で説明する。
第３実施形態による卓上広告表示具１Ｂは、前記第２実施形態と同様に、帯体の上下中ほど部に広告スペース部６を有する形とするが、その表示手段は、広告スペース部６に、ハートマークやシンプルな図柄を刃型を用いて切り抜き表示８を施して成る切り抜き表示帯板９を形成し、その切り抜き表示帯板９の下部に剥離紙３付き固定接着部４を設け、対向側上部に、剥離紙３付き広告板接着部５を設けて成る卓上広告表示具１Ｂを構成する。【００１８】  第３実施形態における卓上広告表示具１Ｂは、切り抜き表示帯板９に設けた広告スペース部６面に、刃型を用いて所望のマークなどの切り抜き表示８を施した切り抜き表示帯板９とするので、印刷やシール貼り表示とは異なるアッピール表示が行える。また、前記第２実施形態とともに本実施形態は広告スペース部６の下部は少し長いので、手で好みの曲げ形成をすることができる。【００１９】  第４実施形態の広告表示具を、図７に示す斜視図と図８に示す使用例参考図で説明する。
第４実施形態による卓上広告表示具１Ｃは、適度に幅の広い板体の中ほどを、刃型を用いて、略Ｘ状の図柄に切り抜いて成る異型切り抜き表示１０を施した異型切り抜き表示帯板１１を形成し、その異型切り抜き表示帯板１１の下部に剥離紙３付き固定接着部４を設け、対向側上部に剥離紙３付き広告板接着部５を設けた卓上広告表示具１Ｃを構成する。
尚、異型切り抜き表示帯板１１に施す表示は略Ｘ状の図柄であるが、他のいずれの形でもよい。【００２０】  第４実施形態による卓上広告表示具１Ｃは、異型切り抜き表示帯板１１の中ほど部分に刃型を用いて所望する図柄模様を施した異型切り抜き表示１０を施すので、その異型切り抜き表示帯板１１自体もアッピール要素を発揮するとともに、異型切り抜き表示帯板１１は適度に幅が広いので、図８に示すように上部の広告板接着部５を折り曲げると、軽いサンプル品などの立体広告物Ｂを接着して広告することもできる。【００２１】  本考案における素材は、保形特性を有する合成樹脂板が特に好ましいが、手で曲げられるＡＢＳ樹脂やその他の素材でも構わない。また各接着部４，５は剥離紙３付きとしているが、他の接着剤を用いて接着する方法や、釘やネジで固定しても差し支えない。さらに第１〜３実施形態の使用例図に示す広告板接着部５は垂直のまま広告板Ａ物を貼り付けるが、折り曲げて立体広告物Ｂを貼り付けてもよく、いずれも特に限定されない。
【図面の簡単な説明】
【００２２】
【図１】本考案の卓上広告表示具の第１実施形態を示す斜視図である。
【図２】第１実施形態の卓上広告表示具の使用例を示す参考図である。
【図３】第２実施形態の卓上広告表示具を示す斜視図である。
【図４】第２実施形態の卓上広告表示具の使用例を示す参考図である。
【図５】第３実施形態の卓上広告表示具を示す斜視図である。
【図６】第３実施形態の卓上広告表示具の使用例を示す参考図である。
【図７】第４実施形態の卓上広告表示具を示す斜視図である。
【図８】第４実施形態の卓上広告表示具の使用例を示す参考図である。
【符号の説明】
【００２３】１  卓上広告表示具                    １Ａ  卓状広告表示具
１Ｂ  卓状広告表示具                  １Ｃ  卓状広告表示具
２  帯板                              ３  剥離紙
４  固定接着部                        ５  広告板接着部
６  広告スペース部                    ７  広告帯板
８  切り抜き表示                      ９  切り抜き表示帯板
１０  異型切り抜き表示                １１  異型切り抜き表示帯板
Ａ  広告板                            Ｂ  立体広告物
【図１】
0003153669.tif 000003
【図２】
0003153669.tif 000004
【図３】
0003153669.tif 000005
【図４】
0003153669.tif 000006
【図５】
0003153669.tif 000007
【図６】
0003153669.tif 000008
【図７】
0003153669.tif 000009
【図８】
0003153669.tif 000010